(57)【要約】【課題】プリンタにおいて、プラテンローラ（以下、ローラ）の回転方向を切り替えてもローラの芯振れが発生しないようにして、記録ヘッドとローラの相対位置を安定させる。【解決手段】軸受部材６３の軸受穴の内周面にローラ６２の回転軸に平行な方向に溝部７１を形成し、円筒部６８の外周面に径方向に突出する突出部６９を、軸受穴６７の中心軸から一の放射線Ｌ２の上に溝部７１と突出部６９とが並ぶように設ける。フレームに円周部分４６、直線部分４７，４８から成る開孔を、円周部分４６の中心と直線部分４７，４８の交点とを結ぶ線が記録紙２の搬送方向Ａに対して略垂直となるように形成する。ローラ６２を搬送方向Ａに対して略垂直な方向Ｂに付勢することにより、開孔４５と突出部６９とが係合して軸受部材６３がフレームに芯振れなく２点支持され、ローラ６２の端軸６２ａが軸受部材６３の溝部７１の外縁部によって芯振れなく２点支持される。【選択図】図２
2005212235.tif 000002
【特許請求の範囲】
【請求項１】
ディジタルカメラを直接接続したり、メモリカードを挿入することにより、ディジタル画像データを用いて画像形成が可能なプリンタであって、
記録紙上に画像を形成する記録ヘッドと、記録紙を挟んで前記記録ヘッドに対向し得る位置に配置され、回転駆動力を受けて回転することにより記録紙を搬送するプラテンローラと、フレームに装着され、前記プラテンローラを回転自在に支持する軸受部材と、前記記録ヘッドを記録紙の搬送方向に対して略垂直に前記プラテンローラに押圧するように付勢する付勢手段とを備えたプリンタにおいて、
前記軸受部材は、フレームに設けられた開孔に嵌合される嵌合部と、前記嵌合部の一部から径方向の外向きに突出するように形成され、前記フレームに当接する鍔部と、プラテンローラの軸端を軸支する軸受穴とを有し、
前記軸受穴の内周面の一部には、前記プラテンローラの回転軸に平行な方向に貫通する溝部が形成され、
前記嵌合部は、円筒部と、前記円筒部の外周面のうち前記鍔部の近傍から径方向の外向きに突出し、先端に向かって徐々に幅が狭くなるようにテーパ状に形成された突出部とを有し、
前記溝部と前記突出部とが、前記軸受穴の中心軸に直交する同一の直線上に並ぶように設けられており、
前記フレームに設けられた開孔は、前記軸受部材の嵌合部のうち前記円筒部及び前記突出部が嵌合可能なように、前記円筒部の外径よりも所定の公差分だけ大きい内径を有する円周部分と、前記突出部のテーパ面とそれぞれ略平行な２つの直線部分とを有し、前記円周部分の中心と前記２つの直線部分の交点とを結ぶ線が記録紙の搬送方向に対して略垂直となるように形成されており、
前記付勢手段が前記記録ヘッドを付勢することにより、前記プラテンローラ及び前記軸受部材が記録紙の搬送方向に対して略垂直な方向に付勢され、これにより、前記フレームの開孔の直線部分と前記軸受部材の突出部のテーパ面とが２点で当接して前記軸受部材がフレームに芯振れなく支持されると共に、前記プラテンローラの回転軸が前記軸受部材の溝部の２つの外縁部によって芯振れなく支持されることを特徴とするプリンタ。
【請求項２】
回転駆動力を受けて回転することにより記録紙を搬送する搬送ローラと、フレームに装着され、前記搬送ローラを回転自在に支持する軸受部材と、記録紙を搬送方向に対して略垂直に前記搬送ローラに押圧するように付勢する付勢手段とを備えたプリンタにおいて、
前記軸受部材は、その外周面の一部に外方向に突出する突出部とを有し、
フレームには、前記軸受部材を装着するための開孔が形成され、該開孔は前記軸受部材の突出部に対応する切り欠き部を有し、この切り欠き部は前記搬送ローラの回転軸の軸心から前記付勢手段が記録紙を付勢する方向に前記突出部の先端が位置するように形成されており、
前記付勢手段が記録紙を付勢することにより、前記搬送ローラ及び前記軸受部材が記録紙の搬送方向に対して略垂直な方向に付勢され、これにより、前記切り欠き部と突出部とが２点で当接して前記軸受部材がフレームに芯振れなく支持されることを特徴とするプリンタ。
【請求項３】
前記軸受部材は、その内周面の一部に前記搬送ローラの回転軸に平行な方向に貫通する溝部をさらに有し、かつ、該溝部及び前記突出部は、前記搬送ローラの回転軸の軸心から一の放射線上に並ぶように形成され、
前記付勢手段が記録紙を付勢することにより、前記搬送ローラが記録紙の搬送方向に対して略垂直な方向に付勢され、これにより、前記搬送ローラの回転軸が前記軸受部材の溝部の２つの外縁部によって芯振れなく支持されることを特徴とする請求項２に記載のプリンタ。
【発明の詳細な説明】
【技術分野】
【０００１】
本発明は、記録紙に所望の画像を形成するプリンタ、特に写真画質並みの高解像度の画像を形成するのに適したプリンタに関する。
【背景技術】
【０００２】
近年、ディジタルカメラの普及により、パーソナルコンピュータを介することなく、直接ディジタルカメラを接続したりメモリカードを挿入したりして、画像のプリントが可能なプリンタが実用化されている。なお、従来のパーソナルコンピュータに接続されるプリンタと区別するために、このようなプリンタを「ディジタルカメラ対応プリンタ」と称する。
【０００３】
ディジタルカメラ対応プリンタでは、従来のフィルム及び印画紙を用いた銀塩写真と同様のプリントを得るために、厚手で、かつ光沢のある専用の記録紙を用いている。記録紙は、複数のローラによって記録ヘッドに対向する位置まで搬送され、記録ヘッドによって1ラインずつ画像が形成される。記録紙を挟んで記録ヘッドに対向する位置には記録紙を所定位置に搬送するためのプラテンローラが配置されている。プラテンローラは、その両端部においてフレームに装着されている軸受部材によって回動自在に軸支され、モータから駆動機構を介して駆動力を受けて回動し、記録ヘッドの動作と同期させて記録紙を繰り出したり停止させたりする。軸受部材は、フレームにプレス加工によって形成された開孔に嵌合されることにより、フレームに装着される。
【０００４】
しかしながら、フレームに形成される開孔の内径寸法は、軸受部材の装着を容易にするために、軸受部材の外径寸法よりも所定の公差分だけ大きく設定されている。従って、フレームの開孔と軸受部材の外周面との間には、プラテンローラの径方向に隙間（遊び）が存在する。また、プリンタの量産に伴いプレス金型が酷使されると、金型が磨耗するので開孔の内径寸法の誤差は大きくなり、開孔と軸受部材との隙間の誤差が大きくなる傾向にある。
【０００５】
また、軸受部材の内径寸法は、プラテンローラの端軸の外径寸法よりも所定の公差分だけ大きく設定されている。従って、上述した開孔と軸受部材との隙間ほど大きくはないが、軸受部材の内周面とプラテンローラの端軸との間にも、プラテンローラの径方向に隙間が存在する。
【０００６】
図７は、このような従来のプリンタにおけるプラテンローラによる記録紙の搬送動作を示している。図７（ａ）に示すように、記録紙を搬送していない状態では、プラテンローラ１６２が記録ヘッド１０６によって矢印Ｂ方向に押されているので、軸受部材１６３はフレームに設けられている開孔１４５の縁と点Ｐ１でのみ接触し、プラテンローラ１６２の端軸１６２ａは軸受部材１６３と点Ｐ２でのみ接触している。この状態から記録紙の搬送を開始すると、図７（ｂ）、（ｃ）に示すように、用紙の送り方向に応じて芯振れが発生する。すなわち、図７（ｂ）において、プラテンローラ１６２が矢印Ｒ１方向に回転し、記録紙２を副走査方向の下流側（矢印Ａ１方向）に繰り出す場合には、軸受部材１６３は、フレームに対して開孔１４５の縁と軸受部材１６３との隙間Ｇ１だけ上流側に移動し、さらに、プラテンローラ１６２は、軸受部材１６３に対して軸受部材１６３と端軸１６２ａとの隙間Ｇ２だけ上流側に移動する。一方、図７（ｃ）において、プラテンローラ１６２が矢印Ｒ２方向に回転し、記録紙２を副走査方向の上流側（矢印Ａ２方向）に巻き戻す場合には、軸受部材１６３は、フレームに対して開孔１４５と軸受部材１６３との隙間Ｇ１だけ下流側に移動する。さらに、プラテンローラ１６２は、軸受部材１６３に対して軸受部材１６３と端軸１６２ａとの隙間Ｇ２だけ下流側に移動する。
【０００７】
一方、用紙を搬送する搬送ローラに関するものとしては、用紙通路を挟んで上方及び下方にフレームを設け、各フレームに用紙ガイド面を一体に形成すると共に、搬送ローラの回転軸をその側壁間に軸架した装置が知られている（例えば、特許文献１参照）。さらに、搬送ローラを装置上側から組み込み可能にした装置が知られている（例えば、特許文献２参照）。
【特許文献１】特開平７−３０９４６２号公報
【特許文献２】特開平４−２６０５４６号公報
【発明の開示】
【発明が解決しようとする課題】
【０００８】
上述した従来のプリンタでは、図７に示したように、プラテンローラ１６２の回転方向が切り替わるたびにプラテンローラ１６２が上流側又は下流側に芯振れするため、記録紙２を記録ヘッド１０６に対して正確に位置決めすることができなくなり、印刷結果に悪影響を及ぼすことがある。特にサーマル記録ヘッド（感熱ヘッド）を備えた感熱式プリンタにおいてカラー印刷を行なう場合は、各色（例えば、イエロー、マゼンタ及びシアンの３色）ごとに記録紙２を副走査方向Ａ１，Ａ２に往復させながら画像を形成する必要があるため、記録紙２の位置決めが適正になされないと色ずれの発生が顕著になる。
【０００９】
また、上記特許文献１又は特許文献２に示された技術を応用しても、上述したプラテンローラの芯振れを抑制することができないので、印刷品質を高めることができない。
【００１０】
本発明は、上記課題を解決するためになされたものであり、印刷に際してプラテンローラの回転方向を切り替えてもプラテンローラの芯振れが発生しないようにして、記録ヘッドとプラテンローラの相対位置を安定させて、印刷品質の向上を図ることができるプリンタを提供することを目的とする。
【課題を解決するための手段】
【００１１】
上記目的を達成するために請求項１の発明は、ディジタルカメラを直接接続したり、メモリカードを挿入することにより、ディジタル画像データを用いて画像形成が可能なプリンタであって、記録紙上に画像を形成する記録ヘッドと、記録紙を挟んで記録ヘッドに対向し得る位置に配置され、回転駆動力を受けて回転することにより記録紙を搬送するプラテンローラと、フレームに装着され、プラテンローラを回転自在に支持する軸受部材と、記録ヘッドを記録紙の搬送方向に対して略垂直にプラテンローラに押圧するように付勢する付勢手段とを備えたプリンタにおいて、軸受部材は、フレームに設けられた開孔に嵌合される嵌合部と、嵌合部の一部から径方向の外向きに突出するように形成され、フレームに当接する鍔部と、プラテンローラの軸端を軸支する軸受穴とを有し、軸受穴の内周面の一部には、プラテンローラの回転軸に平行な方向に貫通する溝部が形成され、嵌合部は、円筒部と、円筒部の外周面のうち鍔部の近傍から径方向の外向きに突出し、先端に向かって徐々に幅が狭くなるようにテーパ状に形成された突出部とを有し、溝部と突出部とが、軸受穴の中心軸に直交する同一の直線上に並ぶように設けられており、フレームに設けられた開孔は、軸受部材の嵌合部のうち円筒部及び突出部が嵌合可能なように、円筒部の外径よりも所定の公差分だけ大きい内径を有する円周部分と、突出部のテーパ面とそれぞれ略平行な２つの直線部分とを有し、円周部分の中心と２つの直線部分の交点とを結ぶ線が記録紙の搬送方向に対して略垂直となるように形成されており、付勢手段が記録ヘッドを付勢することにより、プラテンローラ及び軸受部材が記録紙の搬送方向に対して略垂直な方向に付勢され、これにより、フレームの開孔の直線部分と軸受部材の突出部のテーパ面とが２点で当接して軸受部材がフレームに芯振れなく支持されると共に、プラテンローラの回転軸が軸受部材の溝部の２つの外縁部によって芯振れなく支持されるものである。
【００１２】
請求項２の発明は、回転駆動力を受けて回転することにより記録紙を搬送する搬送ローラと、フレームに装着され、搬送ローラを回転自在に支持する軸受部材と、記録紙を搬送方向に対して略垂直に搬送ローラに押圧するように付勢する付勢手段とを備えたプリンタにおいて、軸受部材は、その外周面の一部に外方向に突出する突出部とを有し、フレームには、軸受部材を装着するための開孔が形成され、該開孔は軸受部材の突出部に対応する切り欠き部を有し、この切り欠き部は搬送ローラの回転軸の軸心から付勢手段が記録紙を付勢する方向に突出部の先端が位置するように形成されており、付勢手段が記録紙を付勢することにより、搬送ローラ及び軸受部材が記録紙の搬送方向に対して略垂直な方向に付勢され、これにより、切り欠き部と突出部とが２点で当接して軸受部材がフレームに芯振れなく支持されるものである。
【００１３】
請求項３の発明は、請求項２に記載のプリンタにおいて、軸受部材は、その内周面の一部に搬送ローラの回転軸に平行な方向に貫通する溝部をさらに有し、かつ、該溝部及び突出部は、搬送ローラの回転軸の軸心から一の放射線上に並ぶように形成され、付勢手段が記録紙を付勢することにより、搬送ローラが記録紙の搬送方向に対して略垂直な方向に付勢され、これにより、搬送ローラの回転軸が軸受部材の溝部の２つの外縁部によって芯振れなく支持されるものである。
【発明の効果】
【００１４】
請求項１の発明によれば、ディジタルカメラを直接接続したり、メモリカードを挿入することにより、ディジタル画像データを用いて画像形成が可能なプリンタにおいて、付勢手段が記録ヘッドを付勢することにより、軸受部材が記録紙の搬送方向に対して略垂直な方向に付勢されてるので、フレームの開孔の直線部分と軸受部材の突出部のテーパ面とが２点で当接し、軸受部材がフレームに２点で支持される。これにより、軸受け部材の安定度が増し、フレームに対する軸受部材の芯振れが発生しなくなり、印刷品質を高めることができる。また、さらに、軸受部材の突出部は、鍔部の近傍のみに形成されているので、フレームの開孔に軸受部材を嵌合する際、軸受部材の位置合わせと方向合わせを同時に行う必要がなくなり、プリンタの組み立てを容易かつ迅速に行なえるようになる。
【００１５】
請求項２の発明によれば、軸受部材が記録紙及び搬送ローラを介して付勢手段によって記録紙の搬送方向に対して略垂直な方向に付勢されるので、フレームの開孔の切り欠き部と軸受部材の突出部とが２点で当接し、軸受部材がフレームに２点で支持される。これにより、軸受け部材の安定度が増し、フレームに対する軸受部材の芯振れが発生しなくなり、印刷品質を高めることができる。
【００１６】
請求項３の発明によれば、搬送ローラが記録紙を介して付勢手段によって記録紙の搬送方向に対して略垂直な方向に付勢されるので、搬送ローラの回転軸が軸受部材の溝部の２つの外縁部によって２点で支持される。これにより、軸受部材に対する搬送ローラの芯振れが発生しなくなり、印刷品質の更なる向上を図ることができる。
【発明を実施するための最良の形態】
【００１７】
本発明を実施するための最良の形態について図面を参照して説明する。図１は、本発明の一実施の形態に係る記録紙ロールを用いたプリンタの概略構成を示す図である。図１に示すように、プリンタ１は、長尺の記録紙２をコアに巻き付けた記録紙ロール３を収納するための給紙部４と、給紙ロール３から記録紙２の先端を引き出し、記録紙２の長手方向である副走査方向に搬送する記録紙搬送機構５と、副走査方向における記録紙ロール３よりも下流側に設けられ、記録紙２上に画像を形成するための記録ヘッド６と、記録紙２のうち画像が形成された部分などを切断するためのカッタ７と、カッタ７により切断された記録紙片、すなわち画像が形成されたプリントを保持するためのトレイ８などで構成されている。
【００１８】
さらに、プリンタ１は、ディジタルカメラ９が直接接続され、あるいはメモリカード１０が挿入されることにより、これらからディジタル画像データを読み込むための画像データ読み出し部１１と、画像データ読み出し部１１により読み出された画像データを用いて、記録ヘッド６を駆動制御する画像形成制御部１２と、画像データ読み出し部１１により読み出された画像データを用いて、記録紙搬送機構５を駆動制御する記録紙搬送制御部１３と、画像データ読み出し部１１により読み出された画像データを用いて、カッタ７を駆動制御する記録紙切断制御部１４とを備えている。
【００１９】
記録紙ロール３のコアの両端には、１組の軸ユニット２０がそれぞれ嵌合されており、フレーム４０に対して回転可能に軸支されている。記録紙ロール３は、記録紙２が消費されるにつれてその直径が徐々に小さくなる。そのため、記録紙ロール３の回転を軸支する軸ユニット２０は、それ自体は駆動されず、記録紙２が記録紙搬送機構５により搬送されるのに伴って従動回転するように構成されている。
【００２０】
記録紙搬送機構５は、記録紙ロール３の外周部に圧接し、それ自体が所定方向に回転駆動されることによって、記録紙２を副走査方向に押し出したり、引き戻したりするための給紙ローラ５１と、記録紙ロール３から引き出された記録紙２の先端部近傍を一定速度で副走査方向に往復搬送する駆動ローラ５２と、記録紙を挟んで記録ヘッドに対向配置されたプラテンローラ６２と、給紙ローラ５１、駆動ローラ５２及びプラテンローラ６２などに回転力を与えるためのモータ５３と、歯車列やタイミングベルトなどの駆動力伝達機構５４などで構成されている。なお、上記軸ユニット２０は、記録紙ロール３の外周面を給紙ローラ５１に押しつける方向に、ばね４１及押圧レバー４２などにより付勢されている。
【００２１】
本実施の形態では、記録ヘッド６として、記録紙２の幅方向である主走査方向に１ライン分の画像を同時に形成する感熱ヘッドを用いており、記録紙２として感熱式のものを用いている。画像データ読み出し部１１により読み出された画像データが単色に関するものである場合、画像形成制御部１２は、その画像データを用いて記録ヘッド６を駆動制御し、記録紙２上に単色の画像を形成する。これと並行して、記録紙搬送制御部１３は、その画像データに応じて記録紙搬送機構５を駆動制御して、記録紙２を副走査方向の下流側に一定の速度でその画像サイズに応じた所定長さだけ繰り出す。記録紙２上に画像が形成された後、記録紙切断制御部１４は、記録紙２上に形成された画像サイズに応じて、カッタ７を駆動制御して、記録紙２のうち画像が形成された部分を切断する。切断された記録紙片、すなわちプリントはトレイ８上に排出される。
【００２２】
一方、画像データ読み出し部１１により読み出された画像データがカラー、すなわち複数の色に関するものである場合、画像形成制御部１２は、画像データ読み出し部１１により読み出された画像データから各色（例えば、イエロー、マゼンタ及びシアンの３色とする）ごとの画像データを抽出し、抽出したいずれか１の色（例えば、イエロー）についての画像データを用いて記録ヘッド６を駆動制御し、記録紙２上にイエローの画像を形成する。これと並行して、記録紙搬送制御部１３は、イエローの画像データに応じて記録紙搬送機構５を駆動制御して、記録紙２を副走査方向の下流側に一定の速度でその画像サイズに応じた所定長さだけ繰り出す。記録紙２上にイエローの画像が形成されると、記録紙搬送制御部１３は、記録紙搬送機構５を駆動制御して、繰り出した分だけ記録紙２を副走査方向の上流側に巻き戻す。そして、画像形成制御部１２及び記録紙搬送制御部１３は、残りの全ての色（マゼンタ及びシアン）について上記と同様の工程を繰り返す。記録紙２上に最後の色（例えば、シアン）の画像が形成されると、記録紙搬送制御部１３は、記録紙２を副走査方向の上流側に巻き戻さずに、記録紙搬送機構５を駆動制御して、記録紙２をさらに副走査方向の下流側に搬送する。記録紙２上に全ての色の画像が重ねて形成された後、記録紙切断制御部１４は、記録紙２上に形成された画像サイズに応じて、カッタ７を駆動制御して、記録紙２のうち画像が形成された部分を切断する。
【００２３】
図２は記録ヘッド６及びプラテンローラ６２とその周辺主要部の構成を、図３はプラテンローラ６２の支持構造を図４はプラテンローラ６２を回転自在に支持する軸受部材６３の構造をそれぞれ示している。記録ヘッド６は、コイルばね６４によって記録紙２の搬送方向Ａに対して略垂直に付勢されプラテンローラ６２に押しつけられている。プラテンローラ６２は、軸受部材６３を介してフレーム４０に回転自在に支持され、駆動力伝達機構５４（図１参照）から回転駆動力を受けて回転することにより記録紙２を副走査方向Ａに搬送する。
【００２４】
フレーム４０には軸受部材６３を装着するための開孔４５が設けられている。開孔４５は、後述する軸受部材６３の円筒部６８の外周面に対応する円周部分４６と、突出部６９のテーパ面７２，７３（図５参照）とそれぞれ略平行に対向する２つの直線部分４７，４８とを有している。円周部分４６及び直線部分４７，４８によって囲まれた切り欠き部分が軸受部材６３の突出部６９に対応する。円周部分４６の内径は、軸受部材６３をフレーム４０に容易に装着できるように、軸受部材６３の円筒部６８の外径よりも所定の公差分だけ大きく設定されている。２つの直線部分４７，４８は、その交点と円周部分４６の中心とを結ぶ直線Ｌ１が記録紙２の搬送方向Ａに対して略垂直に、すなわち記録ヘッド６がコイルばね６４によって付勢される方向Ｂと平行になるように形成されている。
【００２５】
軸受部材６３は、フレーム４０に設けられた開孔４５に嵌合される嵌合部６５と、嵌合部６５の一部から径方向の外向きに突出するように形成され、開孔４５の周縁部に当接する鍔部６６と、プラテンローラ６２の軸端６２ａを軸支する軸受穴６７とを有している。嵌合部６５は、円筒部６８と、円筒部６８の外周面のうち鍔部６６の近傍から径方向の外向きに突出する突出部６９とを有している。突出部６９は、その先端に向かって徐々に幅が狭くなるようにテーパ状に形成されている。突出部６９は、その先端が必ずしも鋭角に尖っている（平面視で３角形状である）必要はなく、例えば、先端が平面視で平坦な台形状であってもよい。また、軸受部材６３の２つのテーパ面７２，７３のなす角θ２は、開孔４５の２つの直線部分４７，４８のなす角θ１と等しいか、僅かに大きく設定されている。
【００２６】
また、軸受穴６７の内周面の一部には、プラテンローラ６２の回転軸に平行な方向に貫通する溝部７１が形成されている。溝部７１と突出部６９の先端は、軸受穴６７の中心軸に直交する直線Ｌ２の上に並ぶように設けられている。溝部７１の形状は特に限定されないが、プラテンローラ６２を安定して支持するために、後述するようにプラテンローラ６２の端軸６２ａに当接する２つの外縁部７４，７５（図５参照）の間隔が広く設定されていることが望ましい。
【００２７】
軸受部材６３は、以下の要領でフレーム４０に装着される。まず、軸受部材６３の円筒部６８をフレーム４０の開孔４５に挿入する。ここで、上述のごとく、円周部分４６の内径は軸受部材６３の円筒部６８の外径よりも所定の公差分だけ大きく設定されているので、軸受部材６３を開孔４５に容易に挿入することができる。そして、軸受部材６３を開孔４５に挿入した状態で、軸受部材６３をフレーム４０に軽く押しつけながら回転させることにより、軸受部材６３の突出部６９を開孔４５の直線部分４７，４８に嵌めることができる。このように本実施の形態では、突出部６９を鍔部６６の近傍より突出させているので、軸受部材６３の位置合わせと方向合わせを同時に行なう必要がなくなり、作業性を高めることができる。
【００２８】
図５はフレーム４０に装着された状態の軸受部材６３及びプラテンローラ６２の端軸６２ａを示している。図２に示したコイルばね６４の付勢力は記録ヘッド６、記録紙２を介してプラテンローラ６２、軸受部材６３に順次伝達され、プラテンローラ６２及び軸受部材６３は、記録紙２の搬送方向Ａに対して略垂直に、すなわち直線Ｌ２と平行な方向Ｂに付勢される。これにより、開孔４５の２つの直線部分４７，４８と軸受部材６３の突出部６９のテーパ面７２，７３とが２点で当接して軸受部材６３がフレーム４０に２点支持されて安定度が増し、フレーム４０に対する軸受部材６３の芯振れが発生しなくなる。また、プラテンローラ６２の端軸６２ａが軸受部材６３の溝部７１の２つの外縁部７４，７５によって２点支持され、軸受部材６３に対するプラテンローラ６２の芯振れが発生しなくなる。
【００２９】
以上のように、本実施の形態のプリンタ１によれば、印刷に際してプラテンローラ６２の回転方向を切り替えてもフレーム４０に対する軸受部材６３の芯振れ及び軸受部材６３に対するプラテンローラ６２の芯振れが発生しなくなり、記録ヘッド６とプラテンローラ６２の相対位置を安定させて印刷品質を高めることができる。
【００３０】
なお、本発明は上記実施の形態の構成に限られることなく種々の変形が可能である。例えば、図６はプリンタ１に適用することができる軸受部材の別の形態を示している。この軸受部材８３においては、鍔部８４から円筒部８５の軸方向の端縁８６に亘って突出部８７が形成されている。従って、軸受部材８３を用いたプリンタによれば、軸受部材８３の位置合わせと方向合わせを同時に行なわなければならないので、軸受部材８３のフレーム４０への装着は若干困難となるが、プラテンローラ６２の芯振れを防止する効果は、軸受部材６３と全く同等に期待できる。
【００３１】
また、軸受部材６３の軸受穴６７とプラテンローラ６２の端軸６２ａとの隙間が極めて小さいときは、溝部７１を省略する構成としても構わない。また、軸受部材６３によって支持されるローラは、プラテンローラ６２に限られることなく、プリンタにおいて芯振れの防止が必要とされる他の搬送ローラにも広く適用することができる。さらに、本発明は、感熱式の記録紙ロールを用いたプリンタに限定されることもなく、高解像度が要求されるプリンタ全般（例えば、インクジェットプリンタ）に適用可能である。
【図面の簡単な説明】
【００３２】
【図１】本発明の一実施の形態に係るプリンタの概略構成を示す図。
【図２】同プリンタの記録ヘッド周辺の概略構成を示す側面図。
【図３】同プリンタのプラテンローラの支持構造を示す組み立て斜視図。
【図４】同プラテンローラを支持する軸受部材を示す斜視図。
【図５】フレームに装着された状態の軸受部材及びプラテンローラの端軸を拡大して示す側面図。
【図６】同プリンタ適用可能な別の軸受部材を示す斜視図。
【図７】従来のプリンタにおいて、プラテンローラが芯振れする様子を示す側面図。
【符号の説明】
【００３３】
１    プリンタ
６    記録ヘッド
４０    フレーム
４５    開孔
４６    円周部分
４７，４８    直線部分（切り欠き部）
６２    プラテンローラ（搬送ローラ）
６２ａ    軸端
６３    軸受部材
６４    コイルばね（付勢手段）
６５    嵌合部
６６    鍔部
６７    軸受穴
６８    円筒部
６９    突出部
７１    溝部
７２，７３    テーパ面
【図１】
2005212235.tif 000003
【図２】
2005212235.tif 000004
【図３】
2005212235.tif 000005
【図４】
2005212235.tif 000006
【図５】
2005212235.tif 000007
【図６】
2005212235.tif 000008
【図７】
2005212235.tif 000009